(57)【要約】【課題】  移動通信端末機の携帯が不可能な場所を訪問する顧客に対して移動通信端機に電話がかかってきたことを知らせる近距離呼出サービス方法及びシステムを提供する。【解決手段】  中央統制装置の呼出情報管理部で顧客が提供した顧客情報を保存して顧客情報データベースを構築する段階と、呼出情報管理部で顧客情報データベースに顧客情報を保存して利用可能な固有番号を顧客に付与する段階と、移動通信端末機と連結した着信装置で移動通信端末機の着信を感知して固有番号を着信信号に変換し、中央統制装置に送出する段階と、中央統制装置で着信信号を受信して顧客情報データベースに保存された固有番号と顧客情報を検索して顧客の呼出装置に呼出信号を送出する段階と、呼出装置の呼出信号受信部で呼出信号を受信してお知らせ部に電気的信号を転送して呼出装置のお知らせ部で信号を発生し、顧客に着信事実を知らせる段階とを含む近距離呼出サービス方法。【選択図】  図１
2005012744.tif 000002
【特許請求の範囲】
【請求項１】
中央統制装置の呼出情報管理部でサービス利用を申請した顧客が提供した顧客の名前、移動通信端末機の電話番号などの顧客情報を保存して顧客情報データベースを構築する顧客情報データベース構築段階；前記中央統制装置の呼出情報管理部で前記顧客情報データベースから利用可能な固有番号を検索して顧客に付与するサービス開始段階；前記移動通信端末機と連結した着信装置で移動通信端末機の着信を感知して前記固有番号を着信信号に変換し、前記中央統制装置に送出する着信信号送出段階；前記中央統制装置で前記着信信号を受信して前記顧客情報データベースに保存された固有番号と顧客情報とを検索し、顧客の呼出装置に呼出信号を送出する呼出信号送出段階；及び前記呼出装置の呼出信号受信部で前記呼出信号を受信してお知らせ部に電気的信号を転送し、前記顧客の呼出装置のお知らせ部で信号を発生して顧客に着信事実を知らせる呼出段階を含むことを特徴とする近距離呼出サービス方法。
【請求項２】
前記着信信号送出段階が、前記着信装置の感知部で連結端子を通じて移動通信端末機の着信を感知して前記顧客の固有番号を前記着信装置の着信信号送出部に転送し、当該着信装置の着信信号送出部で固有番号を着信信号に変換して前記中央統制装置に送出する過程を含むことを特徴とする請求項１記載の近距離呼出サービス方法。
【請求項３】
前記呼出信号送出段階が、前記中央統制装置の着信信号受信部で前記着信信号を受信して固有番号に変換し、前記中央統制装置の呼出情報管理部に転送し、当該呼出情報管理部の顧客情報データベースで前記固有番号を検索して表示部に固有番号と顧客情報とを表示し、前記中央統制装置の呼出信号送出部に呼出信号を転送し、当該呼出信号送出部から前記顧客の呼出装置に呼出信号を送出する過程を含むことを特徴とする請求項１又は請求項２記載の近距離呼出サービス方法。
【請求項４】
前記顧客情報データベース構築段階で顧客情報として呼出制限時間を追加で入力し、前記呼出信号送出段階で前記呼出情報管理部が着信信号を受信した時間が顧客の設定した呼出制限時間に該当する場合には呼出制限時間が終了した後に呼出信号を送出することを特徴とする請求項１乃至請求項３のいずれかに記載の近距離呼出サービス方法。
【請求項５】
据置台１１、連結端子１２、感知部１３及び着信信号送出部１４を含み、移動通信端末機１５に連結した連結端子１２を通じて据置台１１に置かれた移動通信端末機１５の着信を感知部１３で感知し、顧客と移動通信端末機１５に付与された固有番号を着信信号送出部１４に転送し、当該着信信号送出部１４で前記固有番号を着信信号に変換して送出する着信装置１０; 着信信号受信部２１、呼出情報管理部２２、呼出信号送出部２３及び表示部を含み、着信信号受信部２１で着信装置１０から送出される着信信号を受信し、前記固有番号に変換して呼出情報管理部２２に転送し、当該呼出情報管理部２２の顧客情報データベースで固有番号と顧客情報とを検索し、表示部に表示して呼出信号送出部２３に固有番号を転送し、当該呼出信号送出部２３で前記固有番号を呼出信号に変換して送出する中央統制装置２０; 及び呼出信号受信部３１とお知らせ部３２とを含み、呼出信号受信部３１で中央統制装置２０から送出される呼出信号を受信し、電気的信号をお知らせ部３２に転送し、当該お知らせ部３２で信号を発生して顧客に着信事実を知らせる呼出装置３０を含むことを特徴とする近距離呼出サービスシステム。
【請求項６】
前記感知部１３が、前記連結端子１２の数と同一の数の連結ポートを形成しており、各連結ポートには顧客の固有番号と同一の番号が付与されており、当該連結端子１２を通じて着信を感知すると、該当連結ポートの番号を認識して顧客の固有番号を認識し、顧客の固有番号を前記着信信号送出部１４に転送することを特徴とする請求項５記載の近距離呼出サービスシステム。
【請求項７】
前記呼出装置３０のお知らせ部３２が、振動を発生させて顧客に着信事実を知らせることを特徴とする請求項５又は請求項６記載の近距離呼出サービスシステム。
【発明の詳細な説明】
【技術分野】
【０００１】
本発明は、近距離呼出サービス方法及びシステムに関するもので、サウナ・プールなど移動通信端末機の携帯が不可能な特定の場所又は保安等の理由により移動通信端末機（携帯電話）の携帯が禁止されている場所を訪問する顧客の移動通信端末機に着信があった場合、顧客に前もって支給した呼出装置に呼出信号を送信して移動通信端末機に電話がかかってきたことを知らせる近距離呼出サービス方法及びシステムに関するものである。
【背景技術】
【０００２】
従来は、サウナやプールのように移動通信端末機の携帯が不可能な場所を訪問するとき、訪問の時間中に緊急の電話がかかってきても電話を受けることができないという問題点があった。
【０００３】
そこで、このような問題点に対する解決策として、移動通信端末機を密閉できる透明のビニール袋に入れて密封した後、首に掛けるという方案が利用されることもあったが、密封が不完全で移動通信端末機に水が入り故障するなどの問題があり、完全な解決策にはならなかった。
【０００４】
また、最近、写真撮影や動画撮影が可能な移動通信端末機が発達し、保安等の理由で入場時に携帯電話の携帯を禁止する場所に訪問する場合にも緊急の電話を受けられず、緊急事態が発生した場合に適切に対処できないという問題が発生した。
【発明の開示】
【発明が解決しようとする課題】
【０００５】
本発明は、前記のようなさまざまな問題点を解消するためのもので、移動通信端末機を顧客が直接所持できない場所を訪問する場合にも、別途呼出装置を支給し、顧客に呼出信号を転送して顧客の移動通信端末機に電話がかかってきたことを知らせることができるサービス方法及びシステムを提供することがその目的である。
【課題を解決するための手段】
【０００６】
前記のような諸般問題点を解消するために、本発明の近距離呼出サービス方法は、中央統制装置の呼出情報管理部でサービス利用を申請した顧客が提供した顧客の名前、移動通信端末機の電話番号、呼出制限時間などの顧客情報を保存して顧客情報データベースを構築する顧客情報データベース構築段階と、前記中央統制装置の呼出情報管理部で前記顧客情報データベースに顧客情報を保存して利用可能な固有番号を顧客に付与するサービス開始段階と、前記移動通信端末機と連結した着信装置で移動通信端末機の着信を感知し、前記固有番号を着信信号に変換し、前記中央統制装置に送出する着信信号送出段階と、前記中央統制装置で前記着信信号を受信して前記顧客情報データベースに保存された固有番号と顧客情報とを検索し、顧客の呼出装置に呼出信号を送出する呼出信号送出段階と、前記呼出装置の呼出信号受信部で前記呼出信号を受信してお知らせ部に電気的信号を転送し、当該呼出装置のお知らせ部で信号を発生して顧客に着信事実を知らせる呼出段階とを含むことを特徴とする。
【０００７】
本発明の他の特徴は、前記着信信号送出段階が、前記着信装置の感知部で連結端子を通じて移動通信端末機の着信を感知して前記顧客の固有番号を前記着信装置の着信信号送出部に転送し、当該着信装置の着信信号送出部で固有番号を着信信号に変換して前記中央統制装置に送出する過程を含むことを特徴とする。
【０００８】
また、本発明の他の特徴は、前記呼出信号送出段階が、前記中央統制装置の着信信号受信部で前記着信信号を受信して固有番号に変換し、前記中央統制装置の呼出情報管理部に転送し、当該呼出情報管理部の顧客情報データベースで前記固有番号を検索し、表示部に固有番号と顧客情報とを表示して前記中央統制装置の呼出信号送出部に呼出信号を転送し、当該呼出信号送出部から顧客の呼出装置に呼出信号を送出する過程を含むことを特徴とする。
【０００９】
本発明のその他の特徴は、前記顧客情報データベース構築段階で顧客情報として呼出制限時間を追加で入力し、前記呼出信号送出段階で前記呼出情報管理部が着信信号を受信した時間が顧客の設定した呼出制限時間に該当する場合には呼出制限時間が終了した後に呼出信号を送出することを特徴とする。
【００１０】
本発明の他の特徴は、前記着信信号送出段階が、前記着信装置において移動通信端末機に受信された文字情報を前記中央統制装置に送出する過程を含み、前記呼出信号送出段階が、前記中央統制装置において前記着信装置から送出される文字情報を受信して呼出装置に送出する過程を含み、前記呼出段階が、前記呼出装置において前記中央統制装置から送出される文字情報を受信して文字表示部に表示する過程を含むことを特徴とする。
【００１１】
本発明の近距離呼出サービス方法のためのシステムは、図２に示すように、据置台１１、連結端子１２、感知部１３及び着信信号送出部１４を含み、移動通信端末機１５に連結した連結端子１２を通じて据置台１１に置かれた移動通信端末機１５の着信を感知部１３で感知し、顧客と移動通信端末機１５に付与された固有番号を着信信号送出部１４に転送し、当該着信信号送出部１４で前記固有番号を着信信号に変換して送出する着信装置１０と、着信信号受信部２１、呼出情報管理部２２、呼出信号送出部２３及び表示部を含み、着信信号受信部２１で着信装置１０から送出される着信信号を受信し、前記固有番号に変換して呼出情報管理部２２に転送し、当該呼出情報管理部２２の顧客情報データベースで固有番号と顧客情報とを検索し、表示部に表示して呼出信号送出部２３に前記固有番号を転送し、当該呼出信号送出部２３で前記固有番号を呼出信号に変換して送出する中央統制装置２０と、呼出信号受信部３１及びお知らせ部３２を含み、呼出信号受信部３１で中央統制装置２０から送出される呼出信号を受信し、電気的信号をお知らせ部３２に転送して当該お知らせ部３２で信号を発生し、顧客に着信事実を知らせる呼出装置３０とを含むことを特徴とする。
【００１２】
本発明に伴うシステムの他の特徴は、前記感知部１３が前記連結端子１２の数と同一の数の連結ポートを形成しており、各連結ポートには顧客の固有番号と同じ番号が付与されており、連結端子１２を通じて着信を感知すれば、該当連結ポートの番号を認識して顧客の固有番号を認識して顧客の固有番号を前記着信信号送出部１４に転送することを特徴とする。
【００１３】
本発明に伴うシステムのその他の特徴は、前記呼出装置３０のお知らせ部３２が振動を発生させて顧客に着信事実を知らせることを特徴とする。
【００１４】
本発明に伴うシステムの他の特徴は、前記据置台１１に防音装置が設けられていることを特徴とする。
【００１５】
本発明に伴うシステムの他の特徴は、前記呼出装置３０が顧客の手首に装着できるように構成されていることを特徴とする。
【００１６】
本発明に伴うシステムの他の特徴は、前記着信装置１０と中央統制装置２０とがＦＭ又はＡＭの無線或いは有線で送受信されていることを特徴とする。
【００１７】
本発明に伴うシステムの他の特徴は、前記着信装置１０が、前記感知部１３で移動通信端末機１５に受信された文字情報を受信して前記着信信号送信部１４で前記中央統制装置２０に送出する機能を有しており、前記中央統制装置２０が、前記着信装置１０から送出される文字情報を受信して前記呼出装置３０に送出する機能を有しており、前記呼出装置３０が、前記中央統制装置２０から送出される文字情報を受信して文字表示部に表示する機能を有していることを特徴とする。
【発明の効果】
【００１８】
本発明によると、移動通信端末機を携帯することが不可能な場所を訪問するとき、直接移動通信端末機を持っていなくても着信の有無を確認でき、緊急な状況に効果的に対処できる。また、呼出装置を簡便に手首に着用でき、振動を直接感じられるようになっているので、着信の有無を確実に判断することができる。また、保安維持が重要な場所では、訪問顧客の携帯電話の携帯を禁止する代りに、顧客の重要な電話又は緊急状況発生に対する迅速な対処手段を提供して顧客に便宜を提供でき、顧客は重要な電話又は緊急状況発生に対する心配を解消できるようになる。
【００１９】
従って、本発明の産業上利用性は非常に高いといえる。
【発明を実施するための最良の形態】
【００２０】
以下、本発明の実施の形態を図面に基づき説明する。
【００２１】
実施の形態．
【００２２】
図１は本発明による近距離呼出サービス方法の実施の形態に関する手順を示し、図２は本発明の近距離呼出サービス方法を具現するためのシステムの実施の形態に対する構成図を示している。図３は、本発明の実施の形態における図２のシステムの呼出装置に関する斜視図を示している。
【００２３】
先ず、図１により、本発明における近距離呼出サービス方法の手順を説明する。
【００２４】
本発明のサービス方法は、顧客情報データベース構築段階Ｓ１０、サービス開始段階Ｓ２０、着信信号送出段階Ｓ３０、呼出信号送出段階Ｓ４０及び呼出段階Ｓ５０で構成されている。
【００２５】
前記顧客情報データベース構築段階Ｓ１０は、近距離呼出サービスのために構成された中央統制装置２０の呼出情報管理部２２で近距離呼出サービスを利用しようとする顧客によって提供された顧客の名前や移動通信端末機１５の電話番号などの顧客情報を保存してデータベースを構築する段階である。前記顧客情報には、顧客の名前や移動通信端末機１５の電話番号以外にも本サービスの利用時間や呼出制限時間などを入力することができる。
【００２６】
前記サービス開始段階Ｓ２０は、前記顧客情報データベース構築段階Ｓ１０でデータベースを構築して顧客情報を入力した後、前記呼出情報管理部２２で利用可能な固有番号を検索し、顧客に固有番号を付与し、前記固有番号と同一の番号が付与される着信装置１０に顧客の移動通信端末機１５を連結して近距離呼出サービスを開始する段階である。より詳細には、前記呼出情報管理部２２に顧客情報が入力されれば、データベースでまだ利用されていない固有番号を検索し、顧客に固有番号を付与し、前記固有番号と同一番号が付与された呼出装置３０を顧客に提供する。前記顧客の移動通信端末機１５は、顧客の固有番号と同じ番号が付与されている着信装置１０の据置台１１に連結し、近距離呼出サービスを開始する。
【００２７】
前記着信信号送出段階Ｓ３０は、移動通信端末機１５に電話がかかってきた時、着信装置１０でこれを感知し、中央統制装置２０に着信信号を送出する段階である。より詳細には、着信装置１０に連結した移動通信端末機１５に電話がかかってきた時、移動通信端末機１５のイヤホンポートで発生する信号を着信装置１０の連結端子１２を通じて前記着信装置１０の感知部１３で感知する。前記感知部１３では着信した移動通信端末機１５に連結された前記連結端子１２と連結ポートの番号から顧客の固有番号を認識し、当該固有番号を前記着信装置１０の着信信号送出部１４に転送するようになっており、着信信号送出部１４は固有番号を無線信号に変換した着信信号を中央統制装置２０に送出するようになっている。
【００２８】
前記呼出信号送出段階Ｓ４０は、前記着信装置１０から着信信号を受信した中央統制装置２０が呼出装置３０に呼出信号を送出する段階である。即ち、中央統制装置２０の着信信号受信部２１が着信信号を受信し、固有番号に変換して呼出情報管理部２２に転送する。呼出情報管理部２２は、該当固有番号が付与された顧客の入力事項と固有番号とを表示部に表示し、呼出制限時間が設定されているかどうか及び呼出制限時間を考慮し、呼出の可否を判断する。呼出が可能ならば呼出情報管理部２２は、顧客の固有番号を中央統制装置２０の呼出信号送出部２３に転送する。前記呼出信号送出部２３は、固有番号を無線信号に変換した呼出信号を送出する。顧客の呼出制限時間が設定されている場合は、呼出制限時間が終了した後に顧客の固有番号を転送して呼出信号を送出する。従って、顧客は呼出制限時間が終了した後においても、顧客の移動通信端末機１５に対する着信の有無を確認できるようになる。
【００２９】
前記呼出段階Ｓ５０は、前記中央統制装置２０から送出される呼出信号を呼出装置３０で受信して顧客の移動通信端末機１５に着信したことを顧客に知らせる段階である。より詳細には、前記呼出装置３０の呼出信号受信部３１が前記中央統制装置２０から送出された呼出信号を受信してお知らせ部３２に電気的信号を転送するようになっている。前記お知らせ部３２は、電気的信号を受けてお知らせ信号を発生させ、顧客に対して顧客の移動通信端末機１５に着信されたことを知らせる。前記お知らせ信号は、振動又は音響信号にできる。静粛を要する場所においては前記お知らせ信号を振動にすることが望ましい。呼出信号を受けた顧客は中央統制装置２０のある場所に来て、顧客の固有番号と顧客情報とを確認し、電話を受けたりメッセージを確認するようになっている。
【００３０】
前記感知部１３と中央統制装置２０とに前記移動通信端末機１５の文字情報を受信する機能を追加して、呼出装置３０に文字表示部を追加する場合には、文字信号をお知らせ信号に追加することができる。従って、顧客の移動通信端末機１５に受信番号確認機能がある場合には、呼出装置３０に受信番号を送出して顧客が移動通信端末機１５に受信された相手方の電話番号をすぐに確認することが可能になる。
【００３１】
次に、図２によって本発明に伴う近距離呼出サービス方法を具現するためのシステムの実施の形態に対する構成を説明する。
【００３２】
近距離呼出サービスシステムは、着信装置１０、中央統制装置２０及び呼出装置３０を含み構成されている。
【００３３】
前記着信装置１０は、据置台１１、連結端子１２、感知部１３及び着信信号送出部１４を含み構成され、前記移動通信端末機１５に着信すると、これを感知して着信信号を中央統制装置２０に送出する。
【００３４】
前記据置台１１は、前記移動通信端末機１５一台を独立的に収納できる空間が多数形成されたテーブル又は引き出しの形態で形成され、本システムの規模により一個以上で構成され、何台かの前記移動通信端末機１５が収納することができ、それぞれの据置台１１には番号が付与されている。前記据置台１１は、移動通信端末機１５の着信信号が外部から聞こえないように防音装置も設けられている。
【００３５】
前記連結端子１２は、前記感知部１３から据置台１１の内部に延びている信号線によって感知部１３と連結しており、連結端子１２は据置台１１の移動通信端末機１５のイヤホンポートに結合される。前記連結端子１２は、据置台１１の数と同一に構成され、据置台１１と同一の番号が付与されている。
【００３６】
前記感知部１３は、外面に多数の連結ポートを形成して前記多数の連結端子１２と連結ポートを通じて連結される。前記感知部１３の連結ポートには、連結する連結端子１２の番号と同一の番号が付与されており、前記感知部１３は、連結ポートの番号を認識して電話がかかってきた移動通信端末機１５の顧客固有番号を認識する。前記感知部１３は、前記移動通信端末機１５に電話がかかってきた時、前記連結端子１２と信号線を通じて前記移動通信端末機１５のイヤホンポートで発生する信号を感知して着信の有無を判断する。従って、前記感知部１３は、前記連結端子１２を通じて前記移動通信端末機１５の着信を感知しながら、同時に着信信号が転送される連結ポートの番号を通じて連結端子１２の番号と顧客の固有番号を認識し、固有番号を前記着信信号送出部１４に転送する。
【００３７】
前記着信信号送出部１４は、前記感知部１３と連結されており、前記感知部１３から転送される前記固有番号を無線信号に変換して着信信号を送出する。前記無線信号には、FM、AM信号などが含まれる。
【００３８】
前記据置台１１、連結端子１２、連結ポート及び顧客に付与された固有番号は、同一に付与して管理することが望ましい。また、顧客に支給される呼出装置３０の固有番号も同一に維持することが望ましい。
【００３９】
前記中央統制装置２０は、着信信号受信部２１、呼出情報管理部２２、呼出信号送出部２３及び表示部（図面には別途に表示しない）を含み構成され、着信装置１０から送出される着信信号を受信して前記呼出装置３０に呼出信号を送信する。
【００４０】
前記着信信号受信部２１は、前記着信装置１０から送信される着信信号を無線受信して固有番号に転換し、前記呼出情報管理部２２に転送する。
【００４１】
前記呼出情報管理部２２は、近距離呼出サービスのために開発された呼出情報管理プログラムとデータベースを含み構成され、前記着信信号受信部２１と呼出信号送出部２３とに信号を送受信する。前記データベースには、本サービスを利用しようとする顧客の名前や移動通信端末機１５の電話番号などの顧客情報と顧客の固有番号が記録される。顧客の固有番号は、据置台１１と呼出装置３０の番号と同一に付与されて管理される。前記呼出情報管理部２２の呼出情報管理プログラムは、前記着信信号受信部２１から固有番号を送信すれば、固有番号に該当する顧客の固有番号を前記データベースで検索し、顧客の入力事項と固有番号とを表示部に表示する。そして、顧客の固有番号に呼出制限時間が設定されているかどうか及び呼出制限時間を考慮して呼出の可否を判断し、呼出が可能ならば前記呼出信号送出部２３に固有番号を転送する。顧客の呼出制限時間が設定されている場合には呼出制限時間が終了した後に固有番号を転送し、顧客に呼出信号を送出する。
【００４２】
前記呼出信号送出部２３は、前記呼出情報管理部２２と連結しており、呼出情報管理部２２から送信された固有番号を無線信号に変換して呼出信号を送出する。
【００４３】
前記呼出装置３０は、呼出信号受信部３１、お知らせ部３２及び電源部（図面に表示していない）で構成され、呼出装置３０の外部には番号が表示される。前記呼出装置３０は、顧客に支給され、図３で見るように顧客の手首に装着できるように構成されている。
【００４４】
前記呼出信号受信部３１は、前記中央統制装置２０の呼出信号送出部２３から送出される無線信号を受信して前記お知らせ部３２に電気的信号を転送する。
【００４５】
前記お知らせ部３２は、前記呼出信号受信部３１の電気的信号を受けてお知らせ信号を発生させ、前記呼出装置３０を装着した顧客は信号が発生することによって自身の移動通信端末機１５に着信信号がきたことを知る。前記お知らせ部３２は、お知らせ信号によって振動又は音響を発生するように構成されている。より詳細には、お知らせ部３２に振動装置を装着すれば、前記呼出信号受信部３１から電気的信号を受けて振動を発生させる。同じように音響発生装置を装着すれば音響を発生させるようになる。
【００４６】
前記電源部は、呼出装置３０を駆動させるために必要な電源を供給する。
【００４７】
なお、前記呼出装置３０は、図３に図示したことの他にも、多様な形態で製作されるのはもちろんのことである。
【００４８】
前記実施の形態に伴うシステムでは、着信装置１０と中央統制装置２０とを無線で連結したが、着信装置１０と中央統制装置２０とが近接した距離に設置される場合には、着信装置１０と中央統制装置２０とを有線で連結することができ、着信装置１０と中央統制装置２０とが一つの装備で構成されるのはもちろんのことである。
【００４９】
前記実施の形態におけるシステムは、連結端子１２が移動通信端末機１５のイヤホンポートに連結することで構成したが、他の構成で移動通信端末機１５のシリアルポートに連結する方式で構成することができる。より詳細には、前記システムの着信装置１０に移動通信端末機１５のシリアルポートから文字情報受信が可能な連結端子１２と感知部１３を構成し、感知部１３でシリアルポートから顧客の移動通信端末機１５に受信された電話番号や文字メッセージなどを受信し、着信信号送出部１４で中央統制装置２０に文字情報を送出し、中央統制装置２０で前記顧客の移動通信端末機１５の文字情報を顧客の呼出装置２０に送出するように構成できる。前記着信装置１０と中央統制装置２０に文字を送受信する機能を付加する場合には、顧客の呼出装置３０にも文字信号を受信する機能と文字表示部を付加して構成する。
【００５０】
次に、このように構成された本発明に伴う望ましい実施の形態における作用を説明する。
【００５１】
本発明に伴う近距離呼出サービスの提供が可能な場所を訪問した顧客が提供した顧客の名前や移動通信端末機１５の電話番号などの顧客情報を前記中央統制装置２０の呼出情報管理部２２に入力すれば、呼出情報管理部２２は顧客情報データベースを構築し、利用可能な固有番号を検索して付与する。前記固有番号と呼出装置３０を提供され、同じ番号が付与された着信装置１０の連結端子１２と移動通信端末機１５のイヤホンポートを結合して着信装置１０と移動通信端末機１５を連結すれば近距離呼出サービスが開始される。
【００５２】
前記移動通信端末機１５に着信すれば、前記連結端子１２を通じて前記感知部１３が着信を感知し、顧客の固有番号を着信信号送出部１４に転送する。前記着信信号送出部１４は前記固有番号を無線信号に変換して着信信号を送出する。
【００５３】
前記中央統制装置２０の着信信号受信部２１は、前記着信信号送出部１４から送出された着信信号を受信し、再び固有番号に変換した後に呼出情報管理部２２に転送する。前記呼出情報管理部２２は、前記固有番号に該当する顧客の入力事項を表示部に表示して呼出制限時間が設定されているかどうか及び呼出制限時間などを考慮し、呼出が可能ならば固有番号を中央統制装置２０の呼出信号送出部２３に転送する。前記呼出信号送出部２３は、前記顧客の固有番号の転送を受けて無線信号に変換して呼出信号を送出する。
【００５４】
前記呼出装置３０の呼出信号受信部３１は、前記中央統制装置２０から送出される呼出信号を受信し、前記振動部（お知らせ部）に電気的信号を転送する。前記振動部は、電気的信号を受けて呼出装置３０が振動するように振動を発生し、顧客の移動通信端末機１５に着信したことを知らせる。
【００５５】
以上のように説明したとおり、本発明は、詳述した特定の望ましい実施の形態に限定されることなく、特許請求の範囲において、請求する本発明の要旨を抜け出すことなく、当該発明が属する技術分野で通常の知識を有する者ならば誰でも多様な変形の実施が可能になることはもちろんのことであり、そのような変更は特許請求の範囲記載の範囲内にあることとする。
【図面の簡単な説明】
【００５６】
【図１】本発明による近距離呼出サービス方法の実施の形態についての手順を示すフローチャートである。
【図２】本発明による近距離呼出サービスシステムの実施の形態についての構成図である。
【図３】図２の近距離呼出サービスシステムの呼出装置の斜視図である。
【符号の説明】
【００５７】
１０  着信装置
２０  中央統制装置
３０  呼出装置
【図１】
2005012744.tif 000003
【図２】
2005012744.tif 000004
【図３】
2005012744.tif 000005